(57)【要約】【課題】本発明は、蓋本体と天板の着脱に別部材を必要とせず、ワンタッチでいっそう容易に天板を外すことができる化粧料容器の蓋体を提供することを目的とする。【解決手段】本発明に係る化粧料容器の蓋体は、化粧料を収納する化粧料容器の蓋体２であって、容器本体１に取り付けられ、傾斜面３ｂの中央に係止爪３ｃを有する蓋本体３と、係止爪３ｃと係合する係止爪６ｂを有し、蓋本体３に着脱可能な天板６と、を備え、蓋本体３の傾斜面３ｂは中央が隆起した凸面形状であり、天板６の四隅６Ａ、６Ｂ、６Ｃ、６Ｄのうちいずれか１箇所を押すことにより係止爪３ｃと係止爪６ｂの係合が外れて天板６が外れることを特徴とする。【選択図】    図２
2004331162.tif 000002
【特許請求の範囲】
【請求項１】
化粧料を収納する化粧料容器の蓋体であって、
容器本体に取り付けられ、天面の中央に係止部を有する蓋本体と、
前記係止部と係合する被係止部を有し、前記蓋本体に着脱可能な天板と、を備え、
前記蓋本体の天面は中央が隆起した凸面形状であり、前記天板の外縁を押すことにより前記係止部と前記被係止部の係合が外れて天板が外れることを特徴とする化粧料容器の蓋体。
【発明の詳細な説明】
【０００１】
【発明の属する技術分野】
本発明は、製品製造後であっても蓋体の加飾を簡単にかつ自在に変更することができて、購買者が好みに応じていつでも蓋体の加飾を変更可能であるとともに、製造者にとっても、煩雑な作業を要することなく化粧料容器のバリエーションを増やすことができて、多品種少量生産にも適う化粧料容器の蓋体に関するものである。
【０００２】
【従来の技術】
一般に、ローション、クリーム等の化粧料を収納する化粧料容器の容器本体を開閉するために蓋体が備えられている。そしてこの蓋体の表面には、内容物を示す表示や、化粧料容器の外観や質感を左右する加飾等が施されている。
【０００３】
従来、かかる表示や加飾は、蓋体の表面に直接施されていたり、あるいは、表示や加飾を施した天板が別途用意され、この天板が蓋体に接着などにより固定的に取り付けられていた。従って、かかる表示や加飾を変更することは、製品製造後はまったくできなかった。
【０００４】
そこで、表示や加飾を施した天板を蓋本体に着脱自在とし、天板を取り替えることにより製品製造後であってもかかる表示や加飾を簡単にかつ自在に変更することができる化粧料容器の蓋体が開発された（例えば、特許文献１参照）。
【０００５】
【特許文献１】
特開２００３−５２４４６号公報
【０００６】
【発明が解決しようとする課題】
しかしながら、上記従来のような化粧料容器の蓋体は、係止機構、螺合機構、スライド機構により蓋本体と天板を着脱自在としたものであり、係止機構の蓋体では天板を蓋本体から取り外すためにコイン等の別部材が必要であり、螺合機構やスライド機構の蓋体でも蓋本体と天板を持ってひねったり、スライドさせて天板を外す必要があった。
【０００７】
そこで本発明は、蓋本体と天板の着脱に別部材を必要とせず、ワンタッチでいっそう容易に天板を外すことができる化粧料容器の蓋体を提供することを目的とする。
【０００８】
【課題を解決するための手段】
上記課題を解決するために本発明に係る化粧料容器の蓋体は、化粧料を収納する化粧料容器の蓋体であって、容器本体に取り付けられ、天面の中央に係止部を有する蓋本体と、前記係止部と係合する被係止部を有し、前記蓋本体に着脱可能な天板と、を備え、前記蓋本体の天面は中央が隆起した凸面形状であり、前記天板の外縁を押すことにより前記係止部と前記被係止部の係合が外れて天板が外れることを特徴とする。
【０００９】
【発明の実施の形態】
本発明に係る化粧料容器の蓋体の実施形態について、図を用いて説明する。図１は本実施形態に係る化粧料容器の斜視図、図２は化粧料容器の断面図である。
【００１０】
図１、図２に示すように、化粧料容器は、四角柱形状であり、容器本体１、蓋体２から構成されている。容器本体１は、胴部１ａの一端を閉塞して底面を形成し、他端に円形状の首部１ｂを立設している。胴部１ａは断面四角形の筒状に形成され、ローション、クリーム等の化粧料を収納している。首部１ｂは先端に円状の開口部１ｄを形成し、外周に蓋体２と螺合するための螺子部１ｃを螺設している。
【００１１】
蓋体２は、蓋本体３と、この蓋本体３に着脱可能な天板６と蓋本体３の内側に固定され容器本体１と螺合する内板４とから構成されている。内板４は容器本体１の首部１ｂが挿入される凹部４ａを形成し、凹部４ａの内周に容器本体１の螺子部１ｃと螺合するための螺子部４ｂを螺設している。
【００１２】
蓋本体３は、四角柱形状の周壁３ａと、周壁３ａの内側に形成され、中央が隆起した四角形の凸面形状の天面である傾斜面３ｂにて形成されている。傾斜面３ｂの隆起した中央には、後述する天板６の嵌合リブ６ａと嵌合する嵌合穴３ｄが形成され、かかる嵌合穴３ｄに隣接して係止部である係止爪３ｃが形成されている。図３に示すように、これら係止爪３ｃ及び嵌合穴３ｄは対角線上に中心点を基準に点対称となるように４つ形成されている。また、傾斜面３ｂは、図２（ａ）、（ｂ）に示すように、断面を弧状に形成している。
【００１３】
図４に示すように、天板６は、四角形の平面形状であり、表面に内容物を示す表示や、化粧料容器の外観や質感を左右する加飾等を施している。また、天板６は裏面の中央に嵌合リブ６ａを有し、蓋本体３に着脱可能に形成されている。嵌合リブ６ａは、蓋本体３の嵌合穴３ｄに対向するように４つ形成され、その先端に被係止部である係止爪６ｂを形成し、係止爪６ｂと嵌合穴３ｄに隣接した係止爪３ｃが係止する。天板６を蓋本体３を取付けた状態で、天板６の表面が蓋本体３の周壁３ａの上端と面一となる。
【００１４】
取り付けた天板６を蓋本体３から取り外す場合には、図１、図２に示すように、天板６の四隅６Ａ、６Ｂ、６Ｃ、６Ｄ（４コーナー）のうちいずれか１箇所、例えばコーナー６Ａを押すことで、押圧したコーナーに一番近い嵌合穴３ｄを支点Ｘとして、てこの作用で他の３つの嵌合穴３ｄの係止爪３ｃと天板６の係止爪６ｂとの係止が外れる。
【００１５】
さらに、コーナー６Ａを押し下げることで天板６が傾斜面３ｂの曲面に当接し、この当接した部分を中心にてこの作用で、押圧したコーナーに一番近い嵌合穴３ｄの係止爪３ｃと天板６の係止爪６ｂとの係止が外れ、天板６を蓋本体３から取り外すことができる。
【００１６】
このように、蓋本体３の傾斜面３ｂを弧状に形成したため、天板６の持ち上がり状態に従って支点Ｘが移動することになり、天板６にかかる力を初期の大きな力から徐々に小さなものに変化させることができ、円滑に天板６を蓋本体３から外すことができる。
【００１７】
取り外した天板６に変えて蓋本体３に、他の表示や、加飾等を施した天板６を取付ける場合には、天板６の４つの嵌合リブ６ａの位置を蓋本体３の４つの嵌合穴３ｄにそれぞれ合わせ、天板６の中央を押す。これにより、嵌合リブ６ａが嵌合穴３ｄに差し込まれ、天板６の係止爪６ｂと蓋本体３の係止爪３ｃが係止し、天板６の取付けが完了する。
【００１８】
上述のごとく、蓋本体３の傾斜面３ｂを中央に隆起した凸面形状とし、蓋本体３と天板６が中央で係合し、天板６の四隅６Ａ、６Ｂ、６Ｃ、６Ｄのうち１箇所を押すことにより、係合が外れて天板６が外れるよう構成した。これにより、製品製造後であっても蓋体２の表示や加飾を簡単にかつ自在に変更することができるとともに、天板６の着脱に別部材を必要とせず、ワンタッチで容易に天板６を外すことができる。
【００１９】
また、蓋体２を断面四角形の形状とし、天板６の四隅のうち１箇所を押して天板６を外すように構成としたことにより、押されるコーナーと支点となる嵌合穴３ｄとの距離を大きく取ることができ、支点から力点までの距離が大きくなって小さな力で天板６を外すことができる。
【００２０】
また、天板６を蓋本体３を取付けた状態で、天板６の表面が蓋本体３の外壁の上端と面一となるよう構成したことにより、不用意に天板６の四隅が押されることを防止し、意図せず天板６が蓋本体３から外れることを防止することができる。
【００２１】
尚、天板６の四隅６Ａ、６Ｂ、６Ｃ、６Ｄのうちいずれか１箇所を押す構成として説明したが、傾斜面３ｂを１つの角をへこませた形状等とし、天板６の四隅の１箇所のみを押す構成としてもよい。また、本実施形態の蓋体２は断面四角形としたが、本発明はかかる形状に限定されず、断面円形、楕円等の形状であってもよい。
【００２２】
【発明の効果】
以上説明したように、化粧料容器の蓋体は、容器本体に取り付けられ、天面の中央に係止部を有する蓋本体と、係止部と係止する被係止部を有し、蓋本体に着脱可能な天板と、を備え、蓋本体の天面を中央が隆起した凸面形状とし、天板の外縁を押すことにより、係止部と前記被係止部の係合が外れて天板が外れるよう構成した。これにより、製品製造後であってもかかる表示や加飾を簡単にかつ自在に変更することができるとともに、蓋本体と天板の着脱に別部材を必要とせず、ワンタッチで容易に天板を外すことができる。
【図面の簡単な説明】
【図１】本実施形態に係る化粧料容器の斜視図である。
【図２】化粧料容器の断面図である。
【図３】蓋本体の平面図である。
【図４】天板の説明図である。
【符号の説明】
Ｘ        …支点
１        …容器本体
１ａ    …胴部
１ｂ    …首部
１ｃ    …螺子部
１ｄ    …開口部
２        …蓋体
３        …蓋本体
３ａ    …周壁
３ｂ    …傾斜面
３ｃ    …係止爪
３ｄ    …嵌合穴
４        …内板
４ａ    …凹部
４ｂ    …螺子部
６        …天板
６ａ    …嵌合リブ
６ｂ    …係止爪
【図１】
2004331162.tif 000003
【図２】
2004331162.tif 000004
【図３】
2004331162.tif 000005
【図４】
2004331162.tif 000006